(57)【特許請求の範囲】
【請求項１】
長尺材を被取付体に取付けて保護する長尺材の保護カバー装置であって、
被取付体から突設され、前記長尺材を支持する支持部を備えた支持部材と、
前記支持部材に固定ビスを介して固定され、長手方向に連続する切割部を備えた筒状体に構成され、その周壁の拡開により前記切割部から前記支持部材の支持部に支持された前記長尺材を前記支持部とともに内部に収容可能な保護カバーとを備え、
前記支持部材は、前記固定ビスが貫通される取付部を有し、
前記保護カバーは、前記筒状体の周壁の一端縁部に、固定ビスの軸部を強制螺入してこれを螺着するための螺着部が前記筒状体の長手方向に沿って設けられ、他端縁部に前記固定ビスの当該軸部が挿通される挿通部が設けられてなり、
前記挿通部に挿通された前記固定ビスの軸部が前記取付部を貫通し前記螺着部に螺着されることにより、前記保護カバーが前記支持部材に固定されることを特徴とする長尺材の保護カバー装置。
【請求項２】
長尺材を被取付体に取付けて保護する長尺材の保護カバー装置であって、
被取付体から突設され、前記長尺材を支持する支持部を備えた支持部材と、
前記支持部材に固定され、長手方向に連続する切割部を備えた筒状体に構成され、その周壁の拡開により前記切割部から前記支持部材の支持部に支持された前記長尺材を前記支持部とともに内部に収容可能な保護カバーと、
前記支持部材を貫通して前記保護カバーを前記支持部材に固定せしめる固定ビスとを備え、
前記支持部材は、前記固定ビスが貫通される取付部を有し、
前記保護カバーは、前記筒状体の周壁の一端縁部に、固定ビスの軸部を強制螺入してこれを螺着するための螺着部が前記筒状体の長手方向に沿って設けられ、他端縁部に前記固定ビスの当該軸部が挿通される挿通部が設けられてなり、
前記挿通部に挿通された前記固定ビスの軸部が前記取付部を貫通し前記螺着部に螺着されることにより、前記保護カバーが前記支持部材に固定されることを特徴とする長尺材の保護カバー装置。
【請求項３】
前記保護カバーの他端縁部は、一端縁部と対峙するように筒状体の外周壁に係止させた係止片で構成されていることを特徴とする請求項１又は請求項２に記載の長尺材の保護カバー装置。
【請求項４】
長尺材を被取付体に取付けて保護する長尺材の保護カバー装置であって、
被取付体から突設され、前記長尺材を支持する支持部を備えた支持部材と、
前記支持部材に固定ビスを介して固定され、長手方向に連続する切割部を備えた筒状体に構成され、その周壁の拡開により前記切割部から前記支持部材の支持部に支持された前記長尺材を前記支持部とともに内部に収容可能な保護カバーとを備え、
前記支持部材は、前記固定ビスが貫通される取付部を有し、
前記保護カバーは、前記筒状体の周壁の両端縁部に、固定ビスの軸部を強制螺入してこれを螺着するための螺着部が前記筒状体の長手方向に沿って設けられ、
前記周壁の一端縁部に設けられている螺着部に挿通された前記固定ビスの軸部が前記支持部材の取付部を貫通し、前記周壁の他端縁部に設けられている螺着部に螺着されることにより、前記保護カバーが前記支持部材に固定されることを特徴とする長尺材の保護カバー装置。
【請求項５】
長尺材を被取付体に取付けて保護する長尺材の保護カバー装置であって、
被取付体から突設され、前記長尺材を支持する支持部を備えた支持部材と、
前記支持部材に固定され、長手方向に連続する切割部を備えた筒状体に構成され、その周壁の拡開により前記切割部から前記支持部材の支持部に支持された前記長尺材を前記支持部とともに内部に収容可能な保護カバーと、
前記支持部材を貫通して前記保護カバーを前記支持部材に固定せしめる固定ビスとを備え、
前記支持部材は、前記固定ビスが貫通される取付部を有し、
前記保護カバーは、前記筒状体の周壁の両端縁部に、固定ビスの軸部を強制螺入してこれを螺着させるための螺着部が前記筒状体の長手方向に沿って設けられ、
前記周壁の一端縁部に設けられている螺着部に挿通された前記固定ビスの軸部が前記取付部を貫通し前記周壁の他端縁部に設けられている螺着部に螺着されることにより、前記保護カバーが前記支持部材に固定されることを特徴とする長尺材の保護カバー装置。
【請求項６】
前記螺着部は、筒状体の長手方向に連続して延設されたことを特徴とする請求項１乃至請求項５の何れか１項に記載の長尺材の保護カバー装置。
【請求項７】
前記支持部材の支持部は、支持材が挿通される透孔で形成されていることを特徴とする請求項１乃至請求項６の何れか１項に記載の長尺材の保護カバー装置。
【請求項８】
前記支持部材の支持部は、長尺材を、被取付体からの距離を調整自在に支持することを特徴とする請求項１乃至請求項７の何れか１項に記載の長尺材の保護カバー装置。
【請求項９】
前記支持部材の支持部は、長尺材を、被取付体からの距離を立設方向に段階的に調整自在に支持することを特徴とする請求項１乃至請求項８の何れか１項に記載の長尺材の保護カバー装置。
【請求項１０】
前記支持部材は、保護カバーを、被取付体からの距離を調整自在に固定することを特徴とする請求項１乃至請求項９の何れか１項に記載の長尺材の保護カバー装置。
【請求項１１】
前記支持部材は、複数の長尺材の間に挿通されてこれらの長尺材を支持することを特徴とする請求項１乃至請求項１０の何れか１項に記載の長尺材の保護カバー装置。
【発明の詳細な説明】
【０００１】
【発明の属する技術分野】
本発明は、例えば建物の壁等のごとき被取付体に、長尺材を取付け固定するために使用される長尺材の保護カバー装置に関するものであり、より詳しくは、長手方向に連続する切割部を備えた筒状体で構成され、その周壁の拡開により前記切割部を介してその内部に長尺材を収容可能であり、そして、前記被取付体から突設する支持部材に固定される保護カバーを具備する構成に構造的特徴をもつ長尺材の保護カバー装置に関するものである。
【０００２】
【従来の技術】
従来、かかる長尺材の支持装置としては、実公平３−１３６７９号公報に掲載の囲繞装置がある。これを図２２に概略斜視図で示す。
【０００３】
この囲繞装置５０は、内部に被覆対象物Ａ、Ｂを挿通可能な筒状の筒状体５１の外周面に、筒軸線方向に沿う互いに平行な複数本の係止溝５６を形成するとともに、前記筒状体５１を固定部Ｘ、Ｙに取付ける取付具５４に、前記複数本の係止溝５６間に跨って前記筒状体５１を軸線方向に相対摺動自在に支持する係止部材５５と、前記筒状体５１と前記固定部Ｘ、Ｙとの間隔を遠近調節可能な間隔調節手段５２、５３とを設けたところに構成特徴をもつものである。
【０００４】
【発明が解決しようとする課題】
しかしながら、上記従来の囲繞装置５０にあっては、筒状体５１の外周面に設けられた係止溝５６間に、係止部材５５を跨って係止させるとともに、ボルトとナットとで締付けて支持固定させる構成であるため、被取付体に対して固定できるものの、面倒な多数部品の管理作業が必要であり、しかも、作業現場においてその都度これらの部品の組付け作業を行う必要があり、これらの作業が誠に面倒で、極めて作業効率が悪いという問題があった。
【０００５】
本発明は、従来の技術の有するこのような問題にに鑑みてなされたものであり、その目的とするところは、長尺材を保護すべく被取付体に対して固定される保護カバーを簡単な作業によって迅速、確実に取付けできる、長尺材の保護カバー装置を提供せんとするものである。
【０００６】
【課題を解決するための手段】
上記目的を達成するために本発明が採用した手段の要旨とするところは、叙上の特許請求の範囲に記載のとおりである。
【０００７】
請求項１乃至３記載の発明の要旨とするところは、要する処、長手方向に連続する切割部１６ａを備えた筒状体１６に構成された、長尺材Ｐの保護カバー１５であって、該筒状体１６の周壁の一端縁部に、長尺材を支持する支持部材１に軸部３ａを貫通せしめた固定ビス３の当該軸部３ａを強制螺入させることによりこれを螺着させる螺着部１８が長手方向に延設されている構成にその構造特徴があるものである。
【０００８】
このような構成を採用した請求項１乃至３記載の長尺材の保護カバー１５によれば、被取付体に突設した支持部材１に保護カバー１５を迅速、確実に固定でき、そして、前記筒状体１６の周壁の拡開により前記切割部１６ａから当該長尺材Ｐを支持する支持部材１とともに、該拡開した筒状体１６の周壁を１本ビスで閉じることができ、その内部に長尺材Ｐを収容する作業が迅速、確実に実施でき、かかる作業効率の向上が図れる。
【０００９】
請求項４及び請求項５に記載の発明の要旨とするところは、要する処、長手方向に連続する切割部３６ａを備えた筒状体３６（３６’）に構成された、長尺材の保護カバー３５（３５’）であって、該筒状体３６（３６’）の周壁の両端縁部に長手方向に連続する螺着部３８、３８が延設されているところにその構造特徴がある。
【００１０】
このような構成を採用した請求項４及び請求項５に記載の長尺材の保護カバー３５（３５’）によれば、叙上の請求項１乃至請求項３に記載の長尺材の保護カバー１５により得られる作用と実質的に同一の作用が得られる。
【００１１】
そして、特に、前記筒状体３６（３６’）の外周壁の両端縁部に形成されたどちら側の螺着部からでも、固定ビス３７の軸部３７ａを強制的に螺入させて他の螺着部３８に螺着し得るという作用が得られる。すなわち、この長尺材の保護カバー３５（３５’）によれば、前記筒状体３６（３６）の外周壁の両端縁部のどちら側からでも自在に固定ビス３７を取付けでき、長尺材の固定位置や固定場所の拡大が図れるという優れた作用が得られる。
【００１２】
請求項６記載の長尺材の保護カバー装置は、請求項１乃至請求項５のいずれか１項に記載の螺着部が、長手方向に連続して延設されたものである。
【００１３】
請求項７記載の長尺材の保護カバー装置は、請求項１乃至請求項６のいずれか１項に記載の支持部材の支持部が、支持材の挿通される透孔で形成されたものである。
【００１４】
請求項８記載の長尺材の保護カバー装置は、請求項１乃至請求項７のいずれか１項に記載の支持部材の支持部が、長尺材を、被取付体からの距離を調整自在に支持するものである。
【００１５】
請求項９記載の長尺材の保護カバー装置は、請求項１乃至請求項８のいずれか１項に記載の支持部材の支持部が、長尺材を、被取付体からの距離を立設方向に段階的に調整自在に支持するものである。
【００１６】
請求項１０記載の長尺材の保護カバー装置は、請求項１乃至請求項９のいずれか１項に記載の支持部材が、保護カバーを、被取付体からの距離を調整自在に固定するものである。
【００１７】
請求項１１記載の長尺材の保護カバー装置は、請求項１乃至請求項１０のいずれか１項に記載の支持部材が、複数の長尺材の間に挿通されてこれらの長尺材を支持するものである。
【００１８】
【発明の実施の形態】
本発明に係る長尺材の保護カバー装置の実施の形態を、実施例に基いてさらに詳細に説明するが、これは代表的なものを示したものであり、その要旨を越えない限り、以下の実施例によって本発明が限定されるものではない。
【００１９】
図１は第一実施例の長尺材の保護カバー装置１０の縦断面図であり、図２は、図１に示す長尺材の保護カバー装置１０の正面図である。図３は、図１に示した長尺材の保護カバー装置１０に備えた保護カバー１５の部分破断斜視図である。図４は、図１に示す長尺材の保護カバー装置を使用して配管を配設した状態を示す概略斜視図である。
【００２０】
図において、第一実施例の長尺材の保護カバー装置１０は、被取付体（壁Ｗ等）から突設する支持部材１と、該支持部材１に支持された長尺材を内部に収容すべく、この支持部材１に対して固定される保護カバー１５とから構成されている。
【００２１】
前記支持部材１は、長尺材である配管Ｐを配設する対象となる被取付体に対して固定される固定部１ａと、該固定部１ａに立設された立設部１ｂとからなり、該立設部１ｂには、前記配管を支持材４を介在させて支持若しくは固定すべく立設方向に段階的に設けられた複数の透孔６ａからなる支持部６と、該支持部６に支持せしめた配管の周りを囲繞するように保護カバー１５を固定するための立設方向に長い取付部７とが、備えられている。
【００２２】
前記固定部１ａは、その両端側に穴１’ａが形成されており、被取付体に対して支持部材１を釘打ち若しくはネジ止め固定できるようになっている。但し、被取付体に対する固定方法を限定するものではなく、例えば被取付体が型鋼材のような場合に対処すべく図５に示すようにボルトナット固定できるように構成されていてもよく、例えば被取付体が壁内に埋設されたアンカーである場合に対処すべく図６乃至７に示すように当接鍔付若しくは当接鍔なしアンカー止め固定できるように構成されていてもよく、また、例えば被取付体が木材である場合に対処すべく図８、９に示すように被取付体に対して当接鍔付若しくは当接鍔なしの固定部を直接打ち込み若しくはネジ込み固定できるように構成されていてもよい。また、固定部１ａは円形であっても楕円形であっても方形であっても構わない。
【００２３】
前記支持部６は、前記立設部１ｂの立設方向に段階的に穿設された複数の透孔６ａからなり、この複数の透孔６ａの中から適宜選択されたいずれかに、配管を支持する支持材４を介在させて若しくは直接係止するようになっているから、透孔６ａを適宜選択することによって、当該配管を被取付体（壁Ｗ）から所望する所定間隔離間した状態で配置し、これを支持若しくは固定できるようになっている。但し、この支持部６を透孔６ａの集合に限定するものではなく、配管を直接、若しくは配管を支持する支持材４が支持、固定できれば何でもよく、他にはスリットや突起体等が例示できる。また、前記支持材４は、前記支持部６に配管を支持若しくは固定するために使用されるものであり、例えばタイバンドや、針金、ロープ等様々なものが例示でき、さらには、公知のクランプ部材を使用しても構わない。
【００２４】
前記長尺材が例えば独立管である場合には、図１、２に示すように、立設部１ｂに設けられた支持部６に、例えばゴムや針金などのごとき支持材４を挿通して前記独立管を縛り付けたり掛止めして支持でき、該独立管を設置する対象となる被取付体に対して当該独立管を前記保護カバー１５で取り囲んだ状態に簡単に支持（取付け）できる。
【００２５】
前記長尺材が例えばペアー管Ｐ’である場合には、図１２に示すように、前記立設部１ｂの上方からペアー管Ｐ’を押圧するだけで、ペアー管Ｐ’の間にこの立設部１ｂを挿通させることにより極めて簡単かつ迅速にこれを支持させることができるから、配管の配設工事を迅速且つ確実に実施できる。また、ペアー管Ｐ’にナイフ等で挿入孔を形成した後、立設部１ｂを挿通させるものであっても構わないし、前記立設部１ｂの先端が鋭角に加工されていてもよく、前記立設部１ｂの先端を鈍刃を設けた鋭角に加工されていてもよく、釘形状に形成されていても構わない。
【００２６】
これらによると、前記立設部１ｂの挿通量を適宜調整することによって、被取付体Ｗからペアー管（長尺材）Ｐ’を所望する所定間隔をあけた状態で固着できる。
【００２７】
前記取付部７は、前記立設部１ｂの立設方向に長い長孔７ａとして形成されており、前記支持部６に支持若しくは固定させた配管の周りを被覆若しくは囲繞するように保護カバー１５を固定すべく、固定ビス１７の軸部をこの長孔７ａに貫通させるようになっている。
【００２８】
但し、取付部７とは、前記立設部１ｂに固定ビス１７（２７，３７）の軸部１７ａ（２７ａ，３７ａ）を挿通するために設けられた領域を指し示す広い概念を意味するものであり、その寸法形状等を限定するものではない。より具体的に示せば、図２に示すように、前記立設部１ｂの中央下方部に上下方向に長い１つの貫通孔として形成されていてもよく、図１３に示すように、前記立設部１ｂの両側下方部に上下方向に長い２つの貫通孔として形成されていてもよい等、様々な設計変更が可能である。
【００２９】
なお、この取付部７が上下に長い貫通孔として形成されていると、挿通量を適宜調整することによって被取付体から長尺材Ｐを所望する所定間隔をあけた状態で固着されていると、保護カバー１５を小さくすることができるから好ましい。また、取付部７が上下方向に長い２つの貫通孔として形成されていると、前記挿通部１９が不連続の長穴状に形成されていても、この２つの貫通孔のうちから適宜選択することによって保護カバー１５を所望する任意の位置に取り付けできる。  すなわち、前記挿入部１９を不連続ではなく連続する長穴状に形成した場合と同一の作用が得られるので、好適である。
【００３０】
前記保護カバー１５は、長手方向に連続する切割部１６ａを備えた筒状体１６として形成されており、この筒状体１６の周壁の一端縁部には、前記支持部材１に形成された取付部７を貫通する軸部１７ａを有する固定ビス１７の当該軸部１７ａを強制的に螺入させこれを螺着させるべく、螺着部１８が長手方向に延設されており、他端縁部には前記固定ビス１７の軸部１７ａが挿通される挿通部１９が設けられている。また、この保護カバー１５は、前記取付部６において摺動自在に配置でき、被取付体Ｗから所望する所定間隔離間した状態で固定できるようになっている。
【００３１】
ところで、前記螺着部１８とは、その寸法形状等を限定するものではなくて、前記固定ビス１７の軸部１７ａを強制的に螺入させこれを螺着できる領域を指し示す広い概念を意味するものであり、例えば、前記筒状体１６の端縁部に長手方向に連続して凹設された溝状に形成されていてもよく、筒状体１６の端縁部に長手方向に連続して外方に開口する貫通溝状に形成されていてもよく、筒状体１６の端縁部に長手方向に不連続して凹設された貫通溝状に形成されていてもよく、筒状体１６の端縁部に長手方向に不連続して外方に開口する溝状に形成されていてもよい。さらには、図１４に縦断面図で示すように、金属材を所謂バーリング加工して形成した長穴形状の螺着部１８’であってもよい等、様々な設計変更が可能である。
【００３２】
また、前記挿通部１９の寸法形状等を限定するものではなくて、前記保護カバーの他端縁部に設けられ前記固定ビス１７の軸部１７ａを挿通させる部分を指し示す広い概念を意味するものであり、叙上のごとく、筒状体１６の端縁部に長手方向の不連続な長穴状に形成されていてもよく、図１５に示すように、前記筒状体の端縁部に不連続ではなく連続する長穴状に形成されていてもよく、或いは、前記筒状体の端縁部に上下で互い違いの２つの不連続な長穴状に形成されていてもよい等、その要旨を変えない範囲内で様々に設計変更することができる。
【００３３】
このよう構成された各保護カバー１５によれば、前記切割部１６ａで周壁を拡開させることによりこの切割部１６ａから長尺材Ｐを支持部材１とともに内部に収容することができ、当該保護カバーの内部に長尺材Ｐを支持部材１に支持したまま固定ビス３で固定できるようになっている。
【００３４】
また、本発明に係る支持部材１は、前記実施例の支持部材に限定されるものではなく、例えば図１０に示すごとく固定部１ａの中央部ではなく中央部から端部側にずれた位置に立設部１ｂを設けてもよく、さらに、図１１に示すごとく９０度ねじ曲げた形状に形成した立設部１ｂを固定部１ａの中央部に備えてもよい等、本発明の趣旨から逸脱しない範囲で適宜設計変更して実施できる。
【００３５】
なお、図１１に示すように、固定部１ａの位置をセンターに設け、且つ９０度ねじ曲げた形状に形成した立設部１ｂを固定部１ａの中央部に備えた支持部材１にあっては、スミ出しが極めて容易であるから好ましい。
【００３６】
つぎに、第一実施例の保護カバー装置１０の使用方法を、この保護カバー装置１０を使用して長尺材Ｐを支持した状態を要部斜視図で示した図３と、その要部縦断面図である図４に基づいてより詳細に説明する。
【００３７】
まず、２本の配管Ｐ（長尺材）を配設する対象となる壁Ｗに前記支持部材１の複数を適宜間隔離関する位置に配置し、この支持部材１に備えた固定部１ａに形成された穴１’ａを介して固定ネジ３の軸部３ａを壁Ｗに強制螺着させ、支持部材１をそれぞれ壁Ｗに固定する。ついで、２本の配管Ｐを針金４ａで結束し、該針金４ａの端部を前記支持部材１に備えた立設部１ｂに形成され複数の透孔６ａから適宜選択された透孔６ａに挿通し、これを縛り付けすることによって２本の配管Ｐを前記支持部材１のすべてに支持する。なお、この場合、必要に応じて、複数の透孔６ａに前記針金４ａの端部を縛り付けしても構わない。
【００３８】
ついで、第一実施例の保護カバー１５の周壁を切割部１６ａで拡開させることによりこの切割部１６ａから２本の配管Ｐを支持部材１とともに内部に収容し、保護カバー１５の端縁部に設けた挿通部１９を挿通して備えた固定ビス１７の軸部１７ａを、対応する支持部材１に設けた取付部７に貫通させ、必要に応じて、被取付体から所望する所定間隔離間した状態に調整し、さらに、前記挿通部１９と対峙する保護カバー１５の端縁部に位置する螺着部１８に、この固定ビス１７の軸部１７ａを強制的に螺入させて螺着させる。この操作を繰り返し、全ての支持部材１に対して、固定ビス１７止め固定することにより、配管Ｐを保護カバー１５で保護すると、当該配管Ｐの配設作業が終了する。
【００３９】
したがって、第一実施例の保護カバー装置１０によれば、従来のかかる保護カバー装置によるような、面倒な多数部品の管理作業が不要であり、作業現場において保護カバー１５を簡単且つ迅速に取付けでき、かかる作業効率の向上が図れる。
【００４０】
また、建物壁自体や壁Ｗの近傍等に配管を取付け固定する際の妨げとなる突起物のごとき障害物があったとしても、被取付体Ｗから所望する所定間隔離間した状態で固定できるから、これら障害物を回避でき、配管の設置場所の拡大が図れる。
【００４１】
以上述べたものは、請求項１及び請求項２に記載の長尺材の保護カバー装置に対応する一実施態様である。
【００４２】
つぎに、第二実施例の長尺材の保護カバー装置２０、及び該保護カバー装置２０に取り付けされる保護カバー２５を説明する。
【００４３】
図１６は第二実施例の長尺材の保護カバー装置２０の縦断面図である。
【００４４】
図１６、１７に示すように、この長尺材の保護カバー装置２０は、長手方向に連続する切割部２６ａを備えた筒状体２６の他端縁部が、螺着部２８の形成された一端縁部と対峙するように前記筒状体２６の外周壁に係止させた係止片２９ａで構成されている構成にその構造的特徴があり、この点を除けば、他は叙上の第一実施例の長尺材の保護カバー装置１０と実質的に同一の構成からなるものであり、また、その取付方法も叙上の通りである。
【００４５】
このような構成を採用した第二実施例の長尺材の保護カバー装置２０によれば、前記係止片２９ａと前記支持部材１との両方を貫通する軸部２７ａをもった固定ビス２７の先端部を前記螺着部２８に強制的に螺着させることにより、当該長尺材Ｐを支持部材１に支持するとともに固定した状態でこの保護カバー２５の内部に収納できるという作用効果が得られる。
【００４６】
また、筒状体２６の外周壁において螺着部２８の形成された一端縁部と対峙する任意位置に前記係止片２９ａを係止することができるから、この係止片２９ａに形成された挿通部２９から前記取付部７を介して螺着部２８に向けて固定ビス２７の当該軸部２７ａを備え、該螺着部２７にこの軸部２７ａを強制的に螺着することができる。
【００４７】
特には、第二実施例において開示した長尺材の保護カバー２５は、請求項３記載の長尺材の保護カバーに対応する一実施態様である。
【００４８】
つぎに、第三実施例の長尺材の保護カバー装置３０、及び該保護カバー装置３０を説明する。
【００４９】
図１８は第三実施例の長尺材Ｐの保護カバー装置３０を示す縦断面図であり、図１９はこの保護カバー装置３０に備えられた保護カバー３５の斜視図である。
【００５０】
図１８、１９において、この長尺材の保護カバー装置３０は、長手方向に連続する切割部３６ａを備えた筒状体３６であって、該筒状体３６の両端縁部に、前記支持部材１を貫通する固定ビス３７の軸部３７ａを強制的に螺入してこれを螺着させるための螺着部３８、３８が長手方向に延設されている構成にその構造特徴がある長尺材の保護カバー３５を具備するものであり、この点を除けば、他は叙上の第一、第二実施例の長尺材の保護カバー装置１０、２０と実質的に同一の構成からなる構成にその構造特徴を有するものである。なお、前記固定ビス３７の軸部３７ａを強制的に螺入させこれを螺着させるべく前記筒状体３６の両端縁部に長手方向に延設した螺着部３８としては、例えば外方向に開口する溝等が例示できる。
【００５１】
図２０に示す保護カバー３５’は、第三実施例の他の実施態様に相当する保護カバー装置３０’に取付け固定されるものであり、前記筒状体３６’の両端縁部のそれぞれに長手方向に延設された螺着部３８、３８が形成されており、該螺着部３８に前記固定ビス３７を介在して前記支持部材１に取り付けされると、当該螺着部３８、３８が前記筒状体３６’の外郭線内側に配置されるように構成されている構成にその構造特徴がある。
【００５２】
このような構成を採用した保護カバー３５’によれば、支持部材１に取付けされる際に、両螺着部３８、３８を直線上に配置できるから、固定ビス３７の取付けが極めて容易になるという作用が得られ、これにより、配設作業能率の向上が図れるという優れた作用効果が得られる。
【００５３】
第三実施例の長尺材の保護カバー装置３０（３０’）はこのように構成されているから、保護カバー３５（３５’）の両端縁部の間に前記支持部材１を挟持させ、一方の螺着部３８から固定ビス３７の軸部３７ａを強制螺入させ、支持部材１を貫通させ、そして、他の螺着部３８に、その軸部３７ａを強制的に螺入させこれを螺着させることによって、当該長尺材Ｐを支持部材１に支持した状態でこの保護カバー３５（３５’）の内部に収納できる、という作用効果が得られる。
【００５４】
特に、第三実施例の長尺材の保護カバー装置３０（３０’）によれば、前記筒状体３６（３６’）の周壁の両端縁部に、外方向に開口する螺着部３８、３８が形成されているから、叙上の作用に加えて、前記筒状体３６（３６’）の周壁の両端縁部のうち所望する螺着部３８から前記固定ビス３７の軸部３７ａを強制螺入させ、他の端縁側の螺着部３８に螺着できるから、保護カバー３５（３５’）の両端縁部のどちらからでも固定ビス３７を取付けできる。
【００５５】
したがって、この保護カバー３５（３５’）によれば、まず、配管する場所が、例えば壁際のように、前記固定ビス３７をネジ込みするに必要なスペースがないところであったとしても、壁側とは反対側から固定ビス３７を簡単かつ迅速に取付けできる。
【００５６】
また、この保護カバー３５（３５’）によれば、その内部に長尺材Ｐを支持部材１に固定した状態で収容させることができるという叙上の作用に加えて、図２１に示すように、例えばその被取付部Ｗが例えば右下が開放するコーナー部と右上が開放するコーナー部とに亘る場合であっても、前記固定ビス３７を下方から上方に向けて（図中矢印Ａ）取り付けできるとともに、上方から下方に向けて（図中矢印Ｂ）取り付けでき、当該長尺材の配設が誠に簡便、迅速にできる。すなわち、このような位置における簡便、迅速な配管作業が可能となり、しかも、配管の配設作業性に極めて優れるようになる、とい格別顕著な作用効果が得られる。
【００５７】
なお、図１９に示すように、前記螺着部３８、３８の前記切割部３６ａ側の側壁中央に、それぞれ、長手方向に凹設した溝３８ａが形成された構造であると、この溝が、前記固定ビス３７の軸部３７ａの案内路として作用するゆえ、当該固定ビス３７の軸部３７ａを強制的に螺入させこれを螺着する作業を容易且つ迅速に行えるため、極めて好ましい。
【００５８】
第三実施例において開示した長尺材の保護カバー３５（３５’）は、請求項４及び請求項５記載の長尺材の保護カバーに対応する一実施態様である。
【００５９】
【発明の効果】
以上述べたように、本発明の長尺材の保護カバー装置によれば、面倒な多数部品の管理作業が不要であり、作業現場において長尺材を保護すべく保護カバーを簡単、迅速かつ確実に取付けできるので、かかる作業能率の向上が図れる。
【００６０】
また、仮に建物壁自体や壁の近傍等に配管を取付け固定する際の妨げとなる突起物のごとき障害物があったとしても該障害物を回避できるから、配管の設置場所の拡大が図れる、という格別顕著な作用効果が得られる。
【００６１】
特に、請求項４及び請求項５に記載の長尺材の保護カバー装置は、前記筒状体の外周壁の両端縁部に外方向に開口する螺着部が形成されているから、筒状体の外周壁の両端縁部のうちの所望する一方の螺着部から前記固定ビスの先端部を強制螺入させ、他の端縁側の螺着部に螺着でき、これにより、当該長尺材を支持部材に支持するとともに固定した状態でこの保護カバーの内部に収納でき、しかも、この長尺材を、例えばその被取付部が例えば右下が開放するコーナー部と右上が開放するコーナー部とに亘る位置であっても簡単、迅速に設置できる、という格別顕著な作用効果が得られる。
【図面の簡単な説明】
【図１】  第一実施例の長尺材の保護カバー装置の縦断面図である。
【図２】  図２は、図１に示す長尺材の保護カバー装置の正面図である。
【図３】  図３は、図１に示した長尺材の保護カバー装置に備えた長尺材の保護カバーの部分破断斜視図である。
【図４】  図１に示す長尺材の保護カバー装置を使用して配管（電線）を配設した状態を示す概略斜視図である。
【図５】  本発明の、長尺材を支持する支持部材を示す正面図ある。
【図６】  本発明の、長尺材を支持する他の支持部材を示す正面図ある。
【図７】  本発明の、長尺材を支持するまた他の支持部材を示す正面図ある。
【図８】  本発明の、長尺材を支持するまた他の支持部材を示す正面図ある。
【図９】  本発明の、長尺材を支持するまた他の支持部材を示す正面図ある。
【図１０】  本発明の、長尺材を支持するまた他の支持部材を示す平面図ある。
【図１１】  本発明の、長尺材を支持するまた他の支持部材を示す側面図である。
【図１２】  支持部材にペアー管を装着する状態を説明するための概略斜視図である。
【図１３】  支持部材に形成される他の取付部を説明するための正面図である。
【図１４】  第一実施例の他の長尺材の保護カバー装置を示す縦断面図である。
【図１５】  保護カバー部材に形成される他の挿通部を説明するための正面図である。
【図１６】  本発明の第二実施例の長尺材の保護カバー装置を示す要部縦断面図である。
【図１７】  図１７は、図１６に示した長尺材の保護カバー装置に備えた長尺材の保護カバーの部分破断斜視図である。
【図１８】  本発明の第三実施例の長尺材の保護カバー装置を示す要部縦断面図である。
【図１９】  図１９は、図１８に示した長尺材の保護カバー装置に備えた長尺材の保護カバーの斜視図である。
【図２０】  本発明の第三実施例の他の実施態様に相当する長尺材の保護カバー装置を示す要部縦断面図である。
【図２１】  図２１は、図１８、１９に示した長尺材の保護カバー装置を使用して配管をクランク状に配設した状態を示す概略斜視図である。
【図２２】  実公平３−１３６７９号公報に掲載の囲繞装置を示す斜視図である。
【符号の説明】
１…支持部材
１ａ…固定部
１’ａ…穴
１ｂ…立設部
３…固定ビス
３ａ…軸部
４…支持材
４ａ…針金
６…支持部
６ａ…透孔
７…取付部
７ａ…長孔
１０…長尺材の保護カバー装置
１５…保護カバー
１６…筒状体
１６ａ…切割部
１７…固定ビス
１７ａ…軸部
１８…螺着部
１８’…螺着部
１９…挿通部
２０…長尺材の保護カバー装置
２５…保護カバー
２６…筒状体
２６ａ…切割部
２７…固定ビス
２７ａ…軸部
２８…螺着部
２９…挿通部
２９ａ…係止片
３０…長尺材の保護カバー装置
３０’…長尺材の保護カバー装置
３５…保護カバー
３５’…保護カバー
３６…筒状体
３６’…筒状体
３６ａ…切割部
３６’ａ…切割部
３７…固定ビス
３７ａ…軸部
３８…螺着部
３８ａ…溝
５０…囲繞装置
５１…筒状体
５２、５３…間隔調節手段
５４…取付具
５５…係止部材
５６…係止溝
Ｐ…長尺材（例えば電線管等）
Ｐ’…ペアー管
Ｗ…被取付体（壁）
Ｘ、Ｙ…固定部
【図１】
0003764985.tif 000002
【図２】
0003764985.tif 000003
【図３】
0003764985.tif 000004
【図４】
0003764985.tif 000005
【図５】
0003764985.tif 000006
【図６】
0003764985.tif 000007
【図７】
0003764985.tif 000008
【図８】
0003764985.tif 000009
【図９】
0003764985.tif 000010
【図１０】
0003764985.tif 000011
【図１１】
0003764985.tif 000012
【図１２】
0003764985.tif 000013
【図１３】
0003764985.tif 000014
【図１４】
0003764985.tif 000015
【図１５】
0003764985.tif 000016
【図１６】
0003764985.tif 000017
【図１７】
0003764985.tif 000018
【図１８】
0003764985.tif 000019
【図１９】
0003764985.tif 000020
【図２０】
0003764985.tif 000021
【図２１】
0003764985.tif 000022
【図２２】
0003764985.tif 000023